(57)【要約】【課題】スピンドルの先端に螺着される測定子の着脱の際の回転トルクによるスピンドルの連れ回りを抑制し、これによる破損を未然に防止することができる接触式変位センサの構造を提供すること。【解決手段】接触式変位センサ１は主要構造部材を内蔵するためのハウジング４を有し、そのハウジング４の円状開口部１１から円柱状のスピンドル２がその先端側をハウジング外部に突出し構成されている。スピンドル２の嵌合凸部３４はＤカット状をなし、ハウジング４はスピンドル２の嵌合凸部３４の形状と略同形状で嵌合可能な嵌合孔３５を備える。測定子交換の際、スピンドル２の嵌合凸部３４を嵌合孔３５に嵌合させることにより前記スピンドルを回転不能とする構成である。【選択図】図１
2007322248.tif 000002
【特許請求の範囲】
【請求項１】
柱状のスピンドルの先端側をハウジングの開口部から外部に突出させ、前記スピンドルの先端に螺合により着脱可能に取り付けられた測定子を検出対象物に接触させることによる前記スピンドルの軸方向への変位量に基づいて前記検出対象物の測定を行う接触式変位センサであって、
少なくとも前記スピンドルに対する前記測定子の着脱時に、その着脱の際に生じる回転トルクによる前記スピンドルの回転を規制する回転規制手段を備えたことを特徴とする接触式変位センサ。
【請求項２】
請求項１に記載の接触式変位センサにおいて、
前記回転規制手段は、前記スピンドルの後端に設けられる断面非円形状の嵌合凸部又は嵌合孔と、前記ハウジングにおける前記スピンドルの嵌合凸部又は嵌合孔に対応する部位に設けられ前記嵌合凸部又は前記嵌合孔の嵌合により前記スピンドルの回転を規制する嵌合孔又は嵌合凸部とで構成されることを特徴とする接触式変位センサ。
【請求項３】
請求項２に記載の接触式変位センサにおいて、
前記嵌合孔は前記ハウジングに設けられる構成であって、
前記ハウジングには、前記嵌合孔を閉塞するためのキャップが前記ハウジングの外部から着脱可能に装着されることを特徴とする接触式変位センサ。
【請求項４】
請求項２または請求項３に記載の接触式変位センサにおいて、
前記嵌合孔は前記ハウジングに設けられる構成であって、
前記検出対象物の測定時に、前記スピンドルの後端に設けた前記嵌合凸部の前記ハウジングの嵌合孔への嵌入を規制する嵌入規制手段を備えることを特徴とする接触式変位センサ。
【請求項５】
請求項４に記載の接触式変位センサにおいて、
前記嵌合孔は前記ハウジングに設けられ、前記嵌合孔を閉塞する前記キャップを備える構成であって、
前記嵌入規制手段は、前記キャップに設けられ前記ハウジングの嵌合孔内に挿入される規制凸部で構成されることを特徴とする接触式変位センサ。
【請求項６】
請求項２〜５のいずれか１項に記載の接触式変位センサにおいて、
前記嵌合凸部は前記スピンドルに設けられる構成であって、
前記嵌合凸部は、Ｄカット状に形成されていることを特徴とする接触式変位センサ。
【請求項７】
請求項１に記載の接触式変位センサにおいて、
前記回転規制手段は、前記スピンドルの側面に設けられる平面部と、前記ハウジングにおける前記スピンドルの平面部に対応する部位に前記ハウジングの外部からの操作にて進退可能に支持され前記平面部との当接により前記スピンドルの回転を規制する規制部材とで構成されることを特徴とする接触式変位センサ。
【請求項８】
請求項１に記載の接触式変位センサにおいて、
前記回転規制手段は、前記スピンドルの側面に設けられる嵌合板又は嵌合溝と、前記ハウジングにおける前記スピンドルの嵌合板又は嵌合溝に対応する部位に設けられ前記嵌合板又は嵌合溝の嵌合により前記スピンドルの回転を規制する嵌合溝又は嵌合板とで構成されることを特徴とする接触式変位センサ。
【請求項９】
請求項１に記載の接触式変位センサにおいて、
前記回転規制手段は、前記スピンドルの側面に設けられる前記スピンドルの軸方向に延びた挿通孔と、前記ハウジングにおける前記スピンドルの挿通孔に対応する部位に設けられ前記挿通孔への挿通により測定時の前記スピンドルの軸方向変位を確保しつつ前記スピンドルの回転を規制する規制板とで構成されることを特徴とする接触式変位センサ。
【発明の詳細な説明】
【技術分野】
【０００１】
本発明は、スピンドルの先端に螺着される測定子を検出対象物に接触させて、そのスピンドルの軸方向変位に基づいて検出対象物の測定を行う接触式変位センサに関するものである。
【背景技術】
【０００２】
この種の接触式変位センサでは、例えば特許文献１に示されるようなものがあり、スピンドルの先端側がハウジングから突出するように該ハウジング内に軸方向に移動可能に支持され、該スピンドルがコイルバネにて突出方向に付勢されている。ハウジング内におけるスピンドルの所定部位には、軸直交方向に貫通する透孔及び遮蔽部が軸方向に交互に複数個並んで形成されるスケールが取り付けられており、各透孔を設けた部分を軸直交方向に挟むように投光素子及び受光素子が対で設けられ、これら投受光素子はハウジング内の基板上に実装されている。
【０００３】
そして、検出対象物の測定時において、スピンドルの先端に取り付けられる測定子をその検出対象物に接触させることでスピンドルが軸方向に変位する。これにより、スケールに設けた複数個の透孔を介して投光素子からの光が受光素子にて受光されることで、検出対象物の測定がなされるようになっている。
【特許文献１】特開２００５−２６５６４８号公報
【発明の開示】
【発明が解決しようとする課題】
【０００４】
ところで、上記の接触式変位センサでは、スピンドルの先端の測定子がユーザの使用に合わせて種々の形状のものと交換可能とすべくスピンドルの先端に螺着されているのが一般的であり、これにより汎用性が高められている。
【０００５】
しかしながら、取り付け時や使用途中で測定子がスピンドルに対して強く締め付けられることがある。このような場合、測定子の着脱時に測定子を大きな回転トルクでまわして外す必要があり、この回転トルクがスピンドルに作用してスピンドルを連れ回りさせてしまう。すると、スピンドルを支持する機構を破損したり、場合によってはスピンドルの周囲の例えば基板などの破損を招いて、センサを使用できなくしてしまう虞があった。
【０００６】
そこで、スピンドル先端の測定子近傍に、たとえば六角形状の回り止め部を設け、その回り止め部にスパナやラジオペンチなどの周知の工具を用いて、測定止着脱時のスピンドルの連れ回りを防止するものもあった。
【０００７】
しかしながら、測定子着脱時にわざわざ工具が必要となるため、その着脱作業が煩雑であった。
本発明は、上記課題を解決するためになされたものであって、その目的は、スピンドルの先端に螺着される測定子を検出対象物に接触させて検出対象物の測定を行う接触式変位センサにおいて、工具を必要とせずその測定子の着脱が容易で、その測定子の着脱の際の回転トルクによるスピンドルの連れ回りを抑制し、これによる破損を未然に防止することができる接触式変位センサの構造を提供することにある。
【課題を解決するための手段】
【０００８】
上記課題を解決するために、請求項１に記載の発明は、柱状のスピンドルの先端側をハウジングの開口部から外部に突出させ、前記スピンドルの先端に螺合により着脱可能に取り付けられた測定子を検出対象物に接触させることによる前記スピンドルの軸方向への変位量に基づいて前記検出対象物の測定を行う接触式変位センサであって、少なくとも前記スピンドルに対する前記測定子の着脱時に、その着脱の際に生じる回転トルクによる前記スピンドルの回転を規制する回転規制手段を備えたことをその要旨とする。
【０００９】
この発明では、少なくともスピンドルの先端に螺合した測定子のスピンドルに対する着脱の際、スピンドルを回転不能とする回転規制手段が備えられるため、その着脱の際の回転トルクによるスピンドルの連れ回りを工具を使わないで抑制することができ、センサの破損を未然に防止することができる。
【００１０】
請求項２に記載の発明は、請求項１に記載の接触式変位センサにおいて、前記回転規制手段は、前記スピンドルの後端に設けられる断面非円形状の嵌合凸部又は嵌合孔と、前記ハウジングにおける前記スピンドルの嵌合凸部又は嵌合孔に対応する部位に設けられ前記嵌合凸部又は嵌合孔の嵌合により前記スピンドルの回転を規制する嵌合孔又は嵌合凸部とで構成されることをその要旨とする。
【００１１】
この発明では、スピンドル後端の嵌合凸部又は嵌合孔をハウジングの嵌合孔又は嵌合凸部に嵌合させることによりスピンドルが回転不能とされる。このため、簡単な構成で前記スピンドルを回転不能とできる。
【００１２】
請求項３に記載の発明は、請求項２に記載の接触式変位センサにおいて、前記嵌合孔は前記ハウジングに設けられる構成であって、前記ハウジングには、前記嵌合孔を閉塞するためのキャップが前記ハウジングの外部から着脱可能に装着されることをその要旨とする。
【００１３】
この発明では、キャップにより嵌合孔が閉塞されるため、塵埃等が前記嵌合孔を介してハウジング外部から内部へ侵入するのが防止される。
請求項４に記載の発明は、請求項２または請求項３に記載の接触式変位センサにおいて、前記嵌合孔は前記ハウジングに設けられる構成であって、前記検出対象物の測定時に、前記スピンドルの後端に設けた前記嵌合凸部の前記ハウジングの嵌合孔への嵌入を規制する嵌入規制手段を備えたことをその要旨とする。
【００１４】
この発明では、検出対象物の測定時に、スピンドル後端に設けた嵌合凸部のハウジングに設けた嵌合孔への嵌入を規制する嵌入規制手段が備えられるため、嵌合凸部が嵌合孔に嵌合されない。これにより、嵌合凸部が嵌合孔に嵌まり込むことによる、測定時のスピンドルの軸方向変位に影響を及ぼすのが防止される。ちなみに、測定子の交換の際には嵌入規制手段は解除され、嵌合凸部が嵌合孔に嵌り込む状態にされる。
【００１５】
請求項５に記載の発明は、請求項４に記載の接触式変位センサにおいて、前記嵌合孔は前記ハウジングに設けられ、前記嵌合孔を閉塞する前記キャップを備える構成であって、前記嵌入規制手段は、前記キャップに設けられ前記ハウジングの嵌合孔内に挿入される規制凸部で構成されることをその要旨とする。
【００１６】
この発明では、キャップには、検出対象物の測定時に、スピンドル後端に設けた嵌合凸部のハウジングの嵌合孔への嵌入を規制すべく嵌合孔内に挿入される規制凸部が設けられるため、キャップ装着時はスピンドル後端の嵌合凸部が嵌合孔に嵌合されない。これにより、嵌合凸部が嵌合孔に嵌まり込むことによる、測定時のスピンドルの軸方向変位に影響を及ぼすのが防止される。ちなみに、測定子の交換の際にはキャップはハウジングから外され嵌合凸部が嵌合孔に嵌り込む状態にされる。
【００１７】
請求項６に記載の発明は、請求項２〜５のいずれか一項に記載の接触式変位センサにおいて、前記嵌合凸部は前記スピンドルに設けられる構成であって、前記嵌合凸部は、Ｄカット状に形成されていることをその要旨とする。
【００１８】
この発明では、スピンドル後端に設けた嵌合凸部は、Ｄカット状といった単純形状にて形成されているため、スピンドルに対する加工が容易である。
請求項７に記載の発明は、請求項１に記載の接触式変位センサにおいて、前記回転規制手段は、前記スピンドルの側面に設けられる平面部と、前記ハウジングにおける前記スピンドルの平面部に対応する部位に前記ハウジングの外部からの操作にて進退可能に支持され前記平面部との当接により前記スピンドルの回転を規制する規制部材とで構成されることをその要旨とする。
【００１９】
この発明では、スピンドルに平面部を設け、その平面部に規制部材とハウジングの外部から進退可能にハウジングに設けたため、規制部材の当接状態ではスピンドルは回転不能となり、工具不要で測定子を取り外す際のスピンドルの連れ回りが防止され、非当接状態では前記規制部材はスピンドルの軸方向の移動に影響を与えない。
【００２０】
請求項８に記載の発明は、請求項１に記載の接触式変位センサにおいて、前記回転規制手段は、前記スピンドルの側面に設けられる嵌合板又は嵌合溝と、前記ハウジングにおける前記スピンドルの嵌合板又は嵌合溝に対応する部位に設けられ前記嵌合板又は嵌合溝の嵌合により前記スピンドルの回転を規制する嵌合溝又は嵌合板とで構成されることをその要旨とする。
【００２１】
この発明では、スピンドルの側面に設けられる嵌合板にハウジングの嵌合溝が嵌合されるため、スピンドルは回転不能となり、工具不要で測定子を取り外す際のスピンドルの連れ回りが防止される。
【００２２】
請求項９に記載の発明は、請求項１に記載の接触式変位センサにおいて、前記回転規制手段は、前記スピンドルの側面に設けられる前記スピンドルの軸方向に延びた挿通孔と、前記ハウジングにおける前記スピンドルの挿通孔に対応する部位に設けられ前記挿通孔への挿通により測定時の前記スピンドルの軸方向変位を確保しつつ前記スピンドルの回転を規制する規制板とで構成されることをその要旨とする。
【００２３】
この発明では、スピンドルの側面に設けられるスピンドルの軸方向に延びた挿通孔に、測定時の前記スピンドルの軸方向変位を確保しつつハウジングに備えられた規制板が挿通されるため、測定範囲を確保するとともにスピンドルは回転不能となり、工具不要で測定子を取り外す際のスピンドルの連れ回りが防止される。
【発明の効果】
【００２４】
従って、上記記載の発明によれば、スピンドルの先端に螺着される測定子の着脱の際、測定子を取り外す際の回転トルクによるスピンドルの連れ回りを抑制し、これによる破損を未然に防止することができる接触式変位センサの構造を提供することができる。
【発明を実施するための最良の形態】
【００２５】
以下、本発明を具体化した一実施の形態を図面に従って説明する。
図１は、本実施形態の接触式変位センサ１の断面図である。接触式変位センサ１はスピンドル２の先端に螺着される測定子３の先端を検出対象物に接触させ、そのスピンドル２の軸方向の変位に基づいて検出対象物の厚みや表面の凹凸等の測定を行うものである。
【００２６】
接触式変位センサ１は主要構成部材を内蔵するために一側面が開口する四角箱形状のハウジング４を有し、そのハウジング４の下面には円柱状のスピンドル２の先端側をハウジング外部に突出するための円状開口部１１が設けられる。円状開口部１１の形状とスピンドル２の断面形状は略同形状に形成されており、スピンドル２はハウジング４の円状開口部１１に挿通されて上下方向に移動可能に支持されている。スピンドル２の先端には、径方向外側に延びるフランジ部１２が形成されている。スピンドル２のハウジング外部に突出する部位はゴムベロー１３によって包囲されている。ゴムベロー１３は円筒蛇腹構造を成しており、一端をフランジ部１２に、他端を円状開口部１１に形成される係合部１４に係着され、スピンドル２の軸方向（上下方向）の移動に伴い伸縮する。
【００２７】
スピンドル２の先端には雌ネジ部１６が、測定子３の後端には雄ネジ部１５が形成され、測定子３は両ネジ部１５，１６にてスピンドル２の先端部に螺合により着脱可能に取り付けられる。測定子３は、その先端が検出対象物に接触される。そして、検出対象物等に合わせて様々なタイプの図示しない測定子が用意されており、測定子３はその各々と螺着による交換可能である。
【００２８】
スピンドル２は引っ張りバネ２１によって突出側に付勢されるようになっており、この引っ張りバネ２１は一端がスピンドル側係合ピン２２に、他端がハウジング側係合ピン２３にそれぞれ係止される。また、スピンドル２はピン２４及び支持突起２５ａ，２５ｂによって、ハウジングの円状開口部１１を有する下面に対し垂直に支持される。ピン２４はハウジング４の側壁内面５から垂直方向（スピンドル２の軸直交方向）に突出し、スピンドル２の軸線方向に延びた挿通孔２６に挿通される。この場合、ハウジング４の側壁内面５に設けたピン２４は、側壁内面５に固定した基板６を挿通している。支持突起２５ａ，２５ｂはハウジング４の開口部を閉塞する図２に示す蓋部材４０に側壁内面５側に向かって突出形成されている。支持突起２５ａ，２５ｂは４つ形成されており、スピンドル２の後端及び中央部の二箇所をそれぞれ径方向に挟むように配され、前記ピン２４とともにスピンドルの上下方向の移動を案内する。
【００２９】
四角板状のガラススケール７には光を遮断する塗料が塗られた遮蔽部３１と塗料が塗られていない透光部３２が等間隔でスピンドル２の軸方向に複数並び、更に二列設けられている。遮蔽部３１はすべて同じ大きさであり、この二列は一方の列が他方の列に対して遮蔽部３１の上下幅の半分の長さだけずれて形成される。スピンドル２に形成される装着凹部３３には遮蔽部３１及び透光部３２がスピンドル２と重ならないようにガラススケール７が固着され、このガラススケール７はスピンドル２の軸方向の移動とともに同方向に移動をする。
【００３０】
これに対し、前記基板６には投光素子４１及び受光素子４２が対になって二組設けられている。これら二組の投受光素子４１、４２は遮蔽部３１と透光部３２とで構成される二つの列にそれぞれ対応した位置に配され、反射ミラー４３を介して光軸Ｌを構成する（図２及び図３参照）。
【００３１】
従って、検出対象物に測定子３の先端が非接触な基準位置から検出対象物の配置によるその検出対象物に対して測定子３が接触することでスピンドル２が押し込まれると、光軸Ｌ上を遮蔽部３１と透光部３２とが交互に通過することとなり、光軸Ｌに透光部３２が通過するときには受光素子４２にて投光素子４１からの光が受光される。そして、受光素子４２は投光素子４１からの光の受光により出力信号をハイレベルとする。つまり、スピンドル２の変位に伴って遮蔽部３１と透光部３２が交互に光軸Ｌ上を通過することでパルス状の出力信号となり、この出力信号はコントローラ７０に出力される。コントローラ７０はこのようにして得られたパルス状の出力信号からスピンドルの変位量を求め、その変位量に基づいて検出対象物の測定を行っている。また、コントローラ７０は操作部７１を備え、この操作部７１はスピンドル２の基準位置を設定するリセット機能を備えており、測定子３の交換後に再度スピンドル２の基準位置を設定し直すことができる。
【００３２】
前記スピンドル２の後端に設けられる回転規制手段を構成する嵌合凸部３４は、Ｄカット状（断面Ｄ字状）に形成されるように片側面取りがなされている。そして、図４のように、前記ハウジング４上面においてスピンドル２の後端の嵌合凸部３４の延長上にあたる部位には、中央に断面Ｄ字状の回転規制手段を構成する嵌合孔３５が形成されるとともに外周面にねじ山が形成される装着部３６が外側に突出して形成されている。装着部３６に螺着される雌ネジ部を有するキャップ８には、そのキャップ内面３７から突出し嵌入規制手段を構成する規制凸部３８が形成されている。規制凸部３８はキャップ８が装着部３６に螺着されているときには嵌合孔３５の内側開口端まで延びるように構成されている。キャップ８は塵埃等の嵌合孔３５からハウジング内への侵入を防止するとともに、キャップ８が装着部３６に螺着されているときは規制凸部３８が嵌合孔３５を塞いで、スピンドル２の嵌合凸部３４の嵌合孔３５への嵌合を規制している。
【００３３】
このような構成の接触式変位センサ１において測定子３の交換を行う際には、図５のように、キャップ８を装着部３６から外した状態でスピンドル２をハウジング４内部に押し込むと、Ｄカット状のスピンドル２の嵌合凸部３４がハウジングの断面Ｄ字状の嵌合孔３５に嵌合され、スピンドル２は回転不能となる。そのため、測定子３の着脱の際に測定子３を大きな回転トルクで回したとしてもスピンドル２の連れ回りが防止される。従って、例えばガラススケール７等がスピンドル２の回転に伴ってスピンドル２の軸を中心に回転し、基板６等に接触することよる破損が防止されている。
【００３４】
次に、本実施の形態の特徴的な作用効果を記載する。
（１）スピンドル２後端の嵌合凸部３４をハウジング４の嵌合孔３５に嵌合させることによりスピンドル２が回転不能とされる構成とした。したがって、スピンドル２の先端に螺着した測定子３の着脱の際の回転トルクによるスピンドル２の連れ回りを工具を使わずに、また、簡単な構成で抑制することができる。これにより、接触式変位センサ１の破損を未然に防止することができる。
【００３５】
（２）キャップ８により嵌合孔３５が閉塞される構成とした。したがって、嵌合孔３５を介した塵埃等のハウジング外部から内部への侵入を防止することができる。
（３）キャップ８には、検出対象物の測定時に、スピンドル２後端に設けた嵌合凸部３４の嵌合孔３５への嵌入を規制すべく嵌合孔３５内に挿入される規制凸部３８が設けられる構成とした。したがって、キャップ８がハウジング４に装着時はスピンドル２後端の嵌合凸部３４が嵌合孔３５に嵌合されないため、嵌合凸部３４が嵌合孔３５に嵌まり込むことによる、測定時のスピンドル２の軸方向変位に影響を及ぼすのを防止することができる。
【００３６】
（４）スピンドル２後端に設けた嵌合凸部３４は、断面Ｄ字状といった単純形状にて形成されている。したがって、スピンドル２に対する加工を容易とすることができる。
尚、本発明の実施の形態は、以下のように変更してもよい。
【００３７】
・上記実施の形態では、スピンドル２の嵌合凸部３４及び嵌合孔３５の断面形状を片側面取りのＤカット状としたが、二面幅状（二面取り状）、半円状、多角形状、三日月状又はＤカット状の直線部分をＤカット状の弧部分とは反対方向で円にならない程度に湾曲させた形状としてもよい。
【００３８】
・上記実施の形態では、スピンドル２の後端に嵌合凸部３４を設け、ハウジング４上面におけるスピンドル後端の嵌合凸部３４に対応する部位に嵌合孔３５を形成し、回転規制手段を構成したが、スピンドル２の後端に嵌合孔を形成し、ハウジング４上面におけるスピンドル後端の嵌合孔に対応する部位に嵌合凸部を設け、回転規制手段を構成してもよい。
【００３９】
・上記実施の形態では、スピンドル２の回転規制手段として、スピンドル２の嵌合凸部３４をハウジングの嵌合孔３５に嵌合させる構造としたが、例えば、次に述べる図６、図７、及び図８における構造としてもよい。
【００４０】
図６における構造では、スピンドル２の後端側面に回転規制手段を構成する平面部５０を形成し、その平面部５０に対応するハウジング４の所定の位置に平面部５０にハウジング４外部から進退可能に回転規制手段を構成する規制部材５１を支持する。規制部材５１はハウジング４の所定の位置に形成される貫通孔５３に支持されている。そして、測定子３の交換の際には規制部材５１をハウジング内部に押し込む。これにより、規制部材５１の先端がスピンドル２の平面部５０に当接しスピンドル２の回転は抑制される。測定の際には規制部材５１の先端とスピンドル２の平面部５０とを離間させることにより、規制部材５１がスピンドル２の軸方向の移動に影響を及ぼすことはない。
【００４１】
また、図７における構造では、スピンドル２の側面から板状に突出し回転規制手段を構成する二枚の嵌合板５４を形成し、その二枚の嵌合板５４は軸中心をはさんで反対に設けられ、軸方向に所定長さを有している。そして、嵌合板５４をハウジング４における対面する二つの部位に形成された回転規制手段を構成する嵌合溝５６に嵌め込む。これにより、嵌合板５４が嵌合溝５６の内側面に回転方向に引っかかるため、スピンドル２の回転は抑制される。この回転規制構造は実施形態及び図６における回転規制構造のように測定子の交換時のみスピンドル２の回転を抑制する構造ではなく、交換時及び測定時ともにスピンドル２の回転を抑制する構造である。
【００４２】
ちなみに、上記ではスピンドル２の側面に嵌合板５４を設け、ハウジング４における嵌合板５４に対応する部位に嵌合溝５６を形成し、回転規制手段を構成したが、スピンドル２に側面に嵌合溝を形成し、ハウジング４におけるスピンドル２の嵌合溝に対応する部位に嵌合板を設け、回転規制手段を構成してもよい。
【００４３】
また、図８における構造では、ハウジング本体４に軸方向に所定長さを有し回転規制手段を構成する規制板６２を形成し、その規制板６２がスピンドル２の軸方向に延びた回転規制手段を構成する挿通孔６３に挿通しており、規制板６２の先端はハウジング４を閉塞する蓋部材４０の溝６４に嵌合される。これにより、規制板６２が挿通孔６３の内側面に回転方向に引っかかるため、スピンドル２の回転は抑制される。この回転規制構造は図７における回転規制構造と同様に交換時及び測定時ともにスピンドル２の回転を抑制する構造である。
【図面の簡単な説明】
【００４４】
【図１】本実施の形態における接触式変位センサの構成を示す断面図である。
【図２】投受光素子とその光軸を示す断面図である。
【図３】受光素子とスケールの関係を示す断面図である。
【図４】接触式変位センサの平面図である。
【図５】測定子交換時の断面図である。
【図６】別例の接触式変位センサの断面図である。
【図７】（ａ）は、別例の接触式変位センサの正面側斜め上方から見た斜視図であり、（ｂ）は、別例の接触式変位センサの断面図である。
【図８】別例の接触式変位センサの断面図である。
【符号の説明】
【００４５】
１…接触式変位センサ、２…スピンドル、３…測定子、４…ハウジング、６…基板、７…ガラススケール、８…キャップ、３４…回転規制手段を構成する嵌合凸部、３５…回転規制手段を構成する嵌合孔、３６…装着部、３８…嵌合規制手段を構成する規制凸部、５０…回転規制手段を構成する平面部、５１…回転規制手段を構成する規制部材、５４…回転規制手段を構成する嵌合板、５６…回転規制手段を構成する嵌合溝、６２…回転規制手段を構成する規制板、６３…回転規制手段を構成する挿通孔。
【図１】
2007322248.tif 000003
【図２】
2007322248.tif 000004
【図３】
2007322248.tif 000005
【図４】
2007322248.tif 000006
【図５】
2007322248.tif 000007
【図６】
2007322248.tif 000008
【図７】
2007322248.tif 000009
【図８】
2007322248.tif 000010